(57)【特許請求の範囲】
【請求項１】
水平同期周波数の整数倍の標本化クロックで標本化された映像信号をライン遅延させるライン遅延回路と、前記ライン遅延された信号から輝度信号（Ｙ）と搬送色信号（Ｃ）を分離するＹ／Ｃ分離回路と、ライン遅延しないデジタル映像信号のカラーバースト信号および前記ライン遅延した搬送色信号を切替選択するスイッチ回路と、該スイッチ回路で選択された色信号をカラーサブキャリアの位相角を使用して復調する色信号復調回路と、復調した２つの色差信号（Ｕ、Ｖ）からカラーバーストの位相を検出する位相検出器と、前ラインおよび現ラインのカラーバースト位相から現ラインのサンプル毎のカラーサブキャリア位相のずれを補正する補正回路と、該補正回路で補正された位相からサブキャリアの位相角を得る位相角発生器とを備えることを特徴とする色信号復調装置。
【請求項２】
前記Ｙ／Ｃ分離回路として、櫛形フィルタを使用する分離フィルタ特性と、帯域通過フィルタ特性を有し、カラーバースト信号のライン間での相関を使用して適応的に判定し、相関が強いときには前記櫛形フィルタでＹ／Ｃ分離を行い、ＶＴＲ等の映像信号で相関が弱いときは前記帯域通過フィルタでＹ／Ｃ分離を行うことを特徴とする請求項１に記載の色信号復調装置。
【請求項３】
ライン遅延回路と櫛形フィルタの遅延回路を共用することを特徴とする請求項１に記載の色信号復調装置。
【請求項４】
前記位相検出器として、前記２つの色差信号から位相を粗く求めると共に、初期化状態か引き込み状態かを判定する手段と、初期化状態では、前記粗い位相値を積分初期値にセットする手段と、引き込み状態では、Ｖ信号を所定の係数倍した値を積分する積分手段とを備えることを特徴とする請求項１に記載の色信号復調装置。
【請求項５】
前記カラーバーストのラインの相関により判定して、ＶＴＲ等の映像信号で前記カラーバースト位相が大きく変わるときは、係数値を大きくし、放送信号等の前記カラーバースト位相が安定しているときは、係数値を小さくすることを特徴とする請求項４に記載の色信号復調装置。
【発明の詳細な説明】
【０００１】
【発明の属する技術分野】
本発明は色信号復調装置、特に合成映像信号からＹ／Ｃ（明度／色度信号）を分離して色信号を復調し、ＶＴＲ（ビデオテープレコーダ）等の映像信号を高性能に色復調する色信号復調装置に関する。
【０００２】
【従来の技術】
カラーテレビジョン等における映像信号は、輝度信号（Ｙ）および色信号（Ｃ）を合成して伝送する。斯かる合成された映像（カラーテレビ）信号を、高能率で圧縮符号化伝送する場合には、受信機による復調時に、色信号の復調を高精度に行うことが重要となる。色信号の復調方法は、通常、カラーテレビ信号のカラーサブキャリア（色副搬送波）周波数ｆｓｃおよび水平同期周波数ｆｈの関係を利用して復調を行う。ＮＴＳＣ方式のカラーテレビの場合には、ｆｓｃ＝４５５／２×ｆｈの関係があり、デジタル信号処理でＹ／Ｃ分離および色信号復調する場合も、これらの関係を利用して色信号復調を行う。
【０００３】
通常のテレビジョン（ＴＶ）信号は、上述した関係が保たれているが、ＶＴＲから再生されたＮＴＳＣ方式カラーテレビ信号は、必ずしもこの関係が保たれていないことがある。映像信号を圧縮符号化する場合に、ＴＶ信号のフレーム相関を使用して高能率に符号化するため、ＴＶ信号の標本化（サンプリング）は、水平同期信号に同期した標本化クロックで標本化する必要がある。このため、ＶＴＲ信号を、水平同期周波数に同期した標本化クロックで標本化した場合には、カラーサブキャリアはライン毎に標本化される位相がずれることになる。換言すると、水平同期周波数に対してカラーサブキャリアの周波数が変動することになる。
【０００４】
この周波数ずれは、ライン毎に急激にずれるのではなく、連続して少しずつずれて行くため、ライン先頭の位相と、ライン終わりの位相はずれることになる。このため、ラインの先頭で、カラーバーストからカラーサブキャリアの位相を決めると、ラインの終わりにはサブキャリアの位相がずれる。色信号が正しく復調できず、色ずれ又は色むらが発生するという問題があった。更に、色信号の復調が正しく行えないと、圧縮符号化の予測符号化能率が下がるという課題もあった。
【０００５】
色信号復調方式の従来技術は、例えば特開平０４―９６５９５号公報の「映像信号処理回路」（以下、第１従来技術という）があり、図６にその構成をブロック図で示す。即ち、同期信号分離回路１１１、ＰＬＬ（位相ロックループ）回路１１２、Ａ／Ｄ（アナログ／デジタル）変換回路１１３、映像データラインメモリ１１４、色副搬送波信号再生回路１１５、色副搬送波ラインメモリ１１６、タイミング発生回路１１７、デジタル櫛形フィルタ１１８および色信号復調回路１１９により構成される。
【０００６】
この映像信号処理回路は、次の如く動作する。Ａ／Ｄ変換回路１１３は、水平同期信号の整数倍に同期した標本化クロックで映像信号をデジタル化する。色副搬送波信号再生回路１１５では、連続する２点のバースト信号値からサンプリング定理を使用して、カラーバーストの位相差Ｑと振幅ＣＣを求める。これに基づき１ライン分のデジタル色副搬送波信号を発生し、色副搬送波ラインメモリ１１６に蓄える。色信号復調回路１１９は、デジタル櫛形フィルタ１１８で分離された色信号（Ｃ）データを色副搬送波ラインメモリ１１６から供給される色副搬送波を使用して色復調する。
【０００７】
この処理回路構成は、標準のＴＶ信号を復調することを主眼としているため、ｆｓｃおよびｆｈは上述した関係が成り立ち且つカラーサブキャの位相は始めと終わりで一定であることを前提として、色副搬送波を発生している。そのため、ＶＴＲ等の信号では、ラインの終わり頃には色信号を正しく復調できないことが起きる欠点がある。また、この処理回路構成は、色副搬送波信号再生回路１１５および色信号復調回路１１９が別になっているため、回路規模が大きくなる。
【０００８】
また、特開平８−３３１５８２号公報の「ヒュー補正用ビデオ信号デコーダ」（以下、第２従来技術という）があり、図７にその構成をブロック図で示す。このデコーダ（復調器）は、乗算器７１、７３、低域通過フィルタ（ＬＰＦ）７２、７４、ｓｉｎ、ｃｏｓ（正弦、余弦）テーブル７５、位相差検出器７６、ヒュー補正量レジスタ７７、デジタル発振器７８および加算器７９により構成される。位相差検出器７５は、バースト信号の部分の復調されたＵ信号とＶ信号から位相差を検出する。デジタル発信器７６は、この検出された位相差から、カラーバーストと同じ位相のカラーサブキャリアの位相を発生する。ヒュー補正量レジスタ７８は、ヒュー補正量が設定されており、その補正量がサブキャリアの位相に加算される。
【０００９】
【発明が解決しようとする課題】
上述した第２従来技術のデコーダでは、色副搬送波信号を得る回路と色復調回路は、１つの復調回路で構成しているため、このデコーダを上述した第２従来技術に適用すれば、構成は簡単になると考えられる。しかし、ラインの先頭で位相差を決めているため、第１従来技術に関して上述したＶＴＲ等の映像信号では、ラインの終わり頃には色信号を正しく復調できないという課題乃至欠点は改善できない。
【００１０】
【発明の目的】
従って、本発明の目的は、ＶＴＲ等のカラーテレビ信号を復調する場合でも、精度良く色信号の復調が行える色信号復調装置を提供することである。
【００１１】
【課題を解決するための手段】
本発明の色信号復調装置は、水平同期周波数の整数倍の標本化クロックで標本化された映像信号をライン遅延させるライン遅延回路と、ライン遅延された信号から輝度信号（Ｙ）と搬送色信号（Ｃ）を分離するＹ／Ｃ分離回路と、ライン遅延しないデジタル映像信号のカラーバースト信号およびライン遅延した搬送色信号を帰路替え選択するスイッチ回路と、このスイッチ回路で選択された色信号をカラーサブキャリアの位相角を使用して復調する色信号復調回路と、復調した２つの色差信号（Ｕ、Ｖ）からカラーバーストの位相角を検出する位相検出器と、前ラインおよび現ラインのずれを補正する補正回路と、この補正回路で補正された位相からサブキャリアの位相角を得る位相角発生器とを備えて成る。
【００１２】
また、本発明の色信号復調装置の好適実施形態によると、Ｙ／Ｃ分離回路として、櫛形フィルタを使用する分離フィルタ特性と、帯域通過フィルタ特性を有し、カラーバースト信号のライン間での相関を使用して適応的に判定し、相関が強いときは櫛形フィルタでＹ／Ｃ分離を行い、ＶＴＲ等の映像信号で相関が弱いときは帯域通過フィルタでＹ／Ｃ分離を行う。ライン遅延回路と櫛形フィルタの遅延回路を共用する。位相検出器として、２つの色差信号から位相角を粗く求めると共に、初期状態か引き込み状態かを判定する手段と、初期状態では粗い位相値を積分初期値にセットする手段と、引き込み状態では、Ｖ信号を所定の係数倍した値を積分する積分手段とを備える。カラーバーストのライン相関により判定して、ＶＴＲ等の映像信号でカラーバースト位相が大きく変わるときは係数値を大きくし、放送信号等のカラーバースト位相が安定しているときは係数値を小さくする。
【００１３】
【発明の実施の形態】
以下、本発明による色信号復調装置の好適実施形態の構成および動作を、添付図面を参照して詳細に説明する。
【００１４】
先ず、図１は、本発明による色信号復調装置の好適実施形態の構成を示すブロック図である。この色信号復調装置は、Ａ／Ｄ変換器１、ライン遅延回路２、適応Ｙ／Ｃ分離回路３、ＰＬＬ回路４、スイッチ（ＳＷ）回路５、色信号復調器６、同期分離回路７、制御回路８、位相角発生器９、位相検出器１０および補正回路１１により構成される。
【００１５】
次に、図１に示す色信号復調装置を構成する各構成要素の機能を説明する。同期分離回路７は、入力映像（又は画像）信号から水平同期信号を分離しＰＬＬ回路２へ供給する。ＰＬＬ回路２は、水平同期信号の周波数ｆｈのＮ倍に等しい周波数の標本化クロックを発生する。映像圧縮符号のＭＰＥＧ２方式等で用いられる標本化周波数は、ＰＡＬ信号とＮＴＳＣ信号に適する標本化周波数は、１３．５ＭＨｚがある。この場合には、Ｎ＝８５８である。制御回路８は、ラインの先頭や、カラーバースト区間を示す信号、その他制御信号を出力してＳＷ回路５、位相角発生器９および補正回路１１に供給する。適応Ｙ／Ｃ分離回路３の遅延を補正するために、Ａ／Ｄ変換器１の出力からＳＷ回路５への信号は、その遅延時間分だけ遅らせる必要があるが、説明を簡単にするために省略する。
【００１６】
Ａ／Ｄ変換器１は、映像信号を標本化してデジタル映像信号を得る。デジタル映像信号は、ライン遅延回路２およびＳＷ回路５に供給される。ライン遅延回路２は、デジタル信号を１ライン遅延させる。ライン遅延された映像信号は、適応Ｙ／Ｃ分離回路３へ供給される。櫛形フィルタを構成するために、ライン遅延しない信号も同時に適応Ｙ／Ｃ分離回路３へ供給される。また、適応Ｙ／Ｃ分離回路３は、２ライン型の櫛形フィルタおよびバンドバスフィルタ特性を有し、ライン相関が高いときは櫛形フィルタ特性である。ライン相関が低いときは、バンドパスフィルタ特性でデジタル映像信号を輝度信号（Ｙ）および搬送色信号（Ｃ）に分離して、分離した搬送色信号（Ｃ）はＳＷ回路５へ供給される。
【００１７】
ＳＷ回路５は、制御回路８からの制御信号により、バーストフラグの期間は、遅延していないデジタル映像信号の部分のカラーバースト信号を選択して出力し、その他の期間では１ライン周期の遅延している分離した搬送色信号（Ｃ）を選択して出力する。搬送色信号（Ｃ）に比べると、カラーバースト区間の信号は１ライン先の信号が早く出力されることになる。色信号復調器６は、位相角信号からのカラーサブキャリアの位相角に対応するｓｉｎ（正弦）とｃｏｓ（余弦）値を発生する。そして、色信号に乗算してＬＰＦ（低域通過フィルタ）を通過させることにより、搬送色信号又はカラーバースト信号を復調して２つの色差信号（Ｕ、Ｖ）を得る。
【００１８】
位相検出器１０は、上述した両色差信号Ｕ、Ｖ信号からカラーバーストの位相を検出し、正しい位相を出力する。ＮＴＳＣ信号においては、カラーバーストは、Ｕ軸（Ｂ−Ｙ軸）のマイナス方向（１８０°）である。そこで、サブキャリアの位相が合っていれば、カラーバースト期間のＵ（Ｂ−Ｙ）信号は負の値、Ｖ（Ｒ―Ｙ）は略０の値となる筈である。色差信号Ｕ、Ｖとカラーバーストの位相θは、三角関数と標本値の関係から、ｔａｎ（θ）＝Ｖ／Ｕである。色差信号Ｕ、Ｖの値からθを得る変換テーブルを備えておけば、Ｕ、Ｖの値から位相の値を得ることができる。
【００１９】
補正回路１１は、ＶＴＲ等の映像信号が入力された場合に、カラーバーストの位相がライン毎に次第に変化する場合に、この基準となる位相のずれを補正する働きをする。ラインの先頭に検出したカラーバーストの位相だけを基準にそれに続く１ラインのカラーサブキャリアを算出すると、カラーバーストの位相がライン毎に不連続になる。従って、ラインの先頭毎でカラーバーストの値を設定し直すのではなくて、そのラインの前後におけるカラーバーストの位相から、そのラインの中間位相を補正する。１ラインの区間の途中は線形に位相補正して、サンプル毎に次第に変化するようにする。カラーバーストの位相として、第ｋラインの位相値がα01で、第（ｋ＋１）ラインの位相値がα02の場合には、１ライン（Ｎサンプル）の間に変化量する大きさが（α02−α01）であるので、１サンプル毎には（α02−α01）／Ｎの大きさを補正する。従って、補正した第ｉサンプル目の位相αｉは、αｉ＝α01＋ｉ（α02−α01）／Ｎを出力する。
【００２０】
位相角発生器９は、サブキャリアの位相角を発生する。この位相角発生器９では、補正されたカラーバーストの位相にサブキャリアの１サンプル毎の位相角を加算してサンプル毎の位相角θｉを得る。サブキャリア周波数ｆｓｃ＝４５５／２×ｆｈおよび標本化周波数ｆｓ＝Ｎ×ｆｈより、角速度ωはω＝２π×ｆｓｃ／ｆｓとなる。従って、第ｉサンプル点のサブキャリア位相角θｉは、次式で与えられる。
θｉ＝αｉ＋（π×４５５／Ｎ）×ｉ
この補正回路１１の働きにより位相が補正されるため、ＶＴＲ等の映像信号でも搬送色信号（Ｃ）を色ずれがない高品質な復調が可能になる。
【００２１】
次に、図２は、カラーバースト位相の検出動作を説明する図である。ＳＷ回路５から供給される信号は、映像区間の搬送色信号（Ｃ）とカラーバース信号を含む同期区間（バーストフラグ区間）の色信号ＣＢが、その順序が入れ替わり多重化されている。図２に示す如く、第（ｋ−１）ラインの搬送色信号Ｃ（ｋ−１）、第（ｋ＋１）ラインのカラーバースト信号ＢＦ（ｋ＋１）、第ｋラインの搬送色信号Ｃ（ｋ）、第（ｋ＋２）ラインのカラーバーストＢＦ（ｋ＋２）、・・・の順となる。第ｋラインのカラーバースト位相がα01で、第（ｋ＋１）ラインのカラーバーストの位相がα02と検出されると、補正回路１１は、第ｋラインの搬送色信号（Ｃ）を復調する位相は、補正位相αtで補正を行う。
【００２２】
次に、図３は、図１中の色信号復調器６の詳細構成例を示すブロック図である。この色信号復調器６は、乗算器３０、３２、ＬＰＦ３１、３３、ｃｏｓ（余弦）テーブル３４およびｓｉｎ（正弦）テーブル３５により構成される。色信号復調器６に供給されるカラーバースト信号および搬送色信号（Ｃ）の色信号は、乗算器３０および３２に供給される。サブキャリア位相角の信号は、ｓｉｎテーブル３５およびｃｏｓテーブル３４に供給される。ｓｉｎテーブル３５は、入力位相角θに対するｓｉｎ（θ）の変換テーブルで、出力は乗算器３２へ供給される。ｃｏｓテーブル３４は、入力位相角θに対するｃｏｓ（θ）の変換テーブルで、出力は乗算器３０に供給される。乗算器３０は、乗算結果をＬＰＦ３１に供給する。ＬＰＦ３１は、低域通過のデジタルフィルタ特性を有し、高域が阻止され、基底帯域のＵ（Ｂ−Ｙ）の色差信号を出力する。同様に、乗算器３２は、乗算結果をＬＰＦ３３に供給し、ＬＰＦ３３で高域が阻止され、Ｖ（Ｒ−Ｙ）の色差信号を出力する。
【００２３】
次に、図４は、ライン遅延回路２および適応Ｙ／Ｃ分離回路３の詳細構成を示すブロック図である。１Ｈラインメモリ４１、４７、係数４０、４２、４８、加算器４３、ＳＷ回路４４、適応制御回路４９、帯域通過フィルタ（ＢＰＦ）回路４５および減算器４６により構成される。この実施形態では、櫛形フィルタが２Ｈ型の櫛形フィルタである構成例を示す。通常は、櫛形フィルタの出力の色信号を、更にＢＰＦで帯域制限して搬送色信号（Ｃ）を求める。ＶＴＲ等の映像信号は、ライン相関がないので、ＢＰＦのみで色信号（Ｃ）の分離を行う構成である。
【００２４】
ラインメモリ４１および４７は、入力信号を１Ｈ遅延して出力する。係数器４０、４２および４８は、それぞれｋ０、ｋ１およびｋ２の係数を有し、各入力を各係数倍して出力する。２Ｈ型の櫛形フィルタの係数ｋ０、ｋ１およびｋ２は、それぞれ−１／４、２／４および−１／４の値となる。加算器４３は、各係数器４０、４２、４８からの出力を加算して出力する。通常の、ＮＴＳＣ信号では、カラーサブキャリアの位相は、ライン毎に反転する。係数が−１／４、２／４および−１／４の場合には、加算器の４３の出力には、カラーサブキャリアの周波数成分の信号、即ち櫛形フィルタを通過した搬送色信号成分の信号（Ｃ）が出力される。
【００２５】
ＳＷ回路４４および適応制御回路４９には、１Ｈ遅延のＮＴＳＣ信号および搬送色信号（Ｃ）が供給される。適応制御回路４９は、バーストフラグ区間のカラーバースト信号の違いを比較する。両者の差分を求め、この差分の大きさがカラーバーストの大きさのある割合（予め設定した値）より大きくなった場合には、カラーバーストにライン相関がないと判定して、色信号は櫛形フィルタを使用して求めるのではなく、ＢＰＦ回路４５で求めるように切り替えの制御信号ｗをＳＷ回路４４へ供給する。
【００２６】
ＳＷ回路４４は、この制御信号ｗに基づいて選択して、ＢＰＦ回路４５へ供給する。ＢＰＦ回路４５は、サブキャリア周波数の近傍を通過する帯域通過フィルタで、搬送色信号（Ｃ）を通過する。搬送色信号Ｃは、減算器４６および次段の回路へ供給される。減算器４６は、ＮＴＳＣ信号から搬送色信号（Ｃ）が減算されて、出力には輝度信号（Ｙ）が出力される。他の例として、ＢＰＦ回路４５の特性を１つでなく、２つ用意して、櫛形フィルタを用いる場合とそうでない場合で切り替える構成でもよい。フィルタ特性は、櫛形フィルタの場合には通過帯域を広めに、ＢＰＦのみの場合は狭めに設定する。櫛形フィルタは、２Ｈの場合の構成を示したが、図４において、ラインメモリ４７および係数４８を削除し、係数器４０および係数器４３の係数の値ｋ０、ｋ１をそれぞれ−１／２、１／２に設定することにより、１Ｈ型の櫛形フィルタを構成できる。この場合には、櫛形フィルタの分離特性は若干下がるが、回路規模を小さくできる。
【００２７】
次に、図５は、図１中に示す位相検出器１０の詳細構成を示す。色差信号Ｕ、Ｖの値から位相θを求める回路を、変換テーブルで構成すると、Ｕ信号が８ビット、Ｖ信号が８ビット、θの精度を８ビットとすると、８＋８＝１６ビットの入力信号に対して８ビットの出力を求める変換テーブルが必要で、これをＲＯＭで構成する場合には、ワード数が大きくなる。この構成は、１６ビットのサイズでなくて、８ビットのサイズのＲＯＭで簡単化できる例である。
【００２８】
この位相検出器１０は、変換テーブル５１、係数器５２、加算器５３、ＳＷ回路５４およびレジスタ５５により構成される。変換テーブル５１には、Ｕ、Ｖ信号の各上位４ビットの信号Ｕ４、Ｖ４が入力される。変換テーブル５１は、４ビットのＵ信号と４ビットのＶ信号から位相θを得る変換特性を有しており、入力されたＵ4、Ｖ4信号に対する位相θを、例えば８ビットの精度で出力してＳＷ回路５４へ供給する。また、ＳＷ回路５４を制御する制御信号Ｓも出力する。入力のＵ信号が負で、Ｖ信号が−８〜７の範囲のとき、Ｕ4が負、Ｖ4が−１か０の場合には、引き込み状態としてＳ＝０を、それ以外の場合に初期化状態としてＳ＝１の信号を出力してＳＷ回路５４へ供給する。Ｖ信号は、係数器５２へ供給され、大きさをｋ倍（例えば１／４倍）されて加算器５３へ供給される。判定する回路が別に必要となるが、カラーサブキャリアの振幅が小さい場合および１８０°の位相に早く収束させたい場合には、ｋの値を大きくする。
【００２９】
加算器５３は、係数器５２の出力とレジスタ５５の出力とを加算してＳＷ回路５４へ供給する。ＳＷ回路５４は、制御信号Ｓが引き込み状態Ｓ＝０の場合には、加算器５３からの信号を選択して出力しレジスタ５５に供給する。制御信号が初期化Ｓ＝１の場合には、変換テーブル５１から供給される位相θの値を選択して出力し、レジスタ５５へ供給する。従って、制御信号ＳがＳ＝１の場合には、初期化状態として、レジスタ５５には、Ｕ４、Ｖ４から求めた位相θがセットされて出力される。制御信号ＳがＳ＝０の場合には、引き込み状態としてＶ信号の値をｋ倍した値が、加算器５３およびレジスタ５５で構成される積分器で積分される。積分は１０ビットの精度で行う。１０ビットの位相の値は、３６０°に正規化して示される。
【００３０】
レジスタ５５は、制御回路８からの制御信号に従って、カラーバーストの区間でクロックが動作し、ＳＷ回路５４からの信号を標本化クロック保持して出力する。レジスタ５５の出力は、位相の信号として出力される。信号Ｕが負で信号Ｖが正の場合には、カラーバーストの位相は、９０°から１８０°の間にあるが、信号Ｖの値（正）が積分されると、位相が増加して積分値の位相は１８０°に近くなる。１８０°になると、カラーバーストの位相は、カラーサブキャリアの位相に１８０°で一致し、信号Ｖの値は０となり、積分値は変わらず、従って位相は１８０°の位置を保つ。
【００３１】
カラーバーストのサイクルは、約１０サイクルあるので、最初に、Ｕ、Ｖが上位各４ビットの信号値で粗く位相を求めて、その初期値がセットされれば、その次からは、概略正しいバーストの位相から色信号が復調されることになる。そして、信号Ｕ、Ｖの値は、引き込み状態と判定される値となる。制御信号Ｓが引き込み状態を出力すると、次からは、引き込み状態の処理が行われる。即ち、積分の処理で補正が行われることになり、信号Ｖの値を係数器５２でｋ倍した値がレジスタ５５の値に加算されて、順次補正がされて行くことになる。カラーバースト区間が終わる頃には、位相は正しい位相に収束しており、制御回路８からの制御信号で、バースト区間が終わると積分処理が止まり、求められた位相の値が次のラインまで保持される。
【００３２】
相関が高い場合には、位相はライン毎に殆ど変わらないので、ｋの値は１に比して十分小さく設定する。ＶＴＲ等の映像信号で、カラーバーストの位相がライン毎に大きく変わるときは、ｋの値は１と同じくらいの値とする。カラーバースト信号のライン間相関又は位相相関により、ｋの値を適応的に切り替えると、より高精度の色信号復調が可能である。カラーバーストの信号がライン間で相関が強いか否かの判定は、位相検出器１０で検出される位相の値がライン毎に大きく変わるか否かで判定することができる。この判定結果を使用して、適応Ｙ／Ｃ分離回路３の切り替えを制御することも可能である。
【００３３】
図５の構成において、カラーバーストのサイクルは、１０サイクルであるが、位相検出器１０はループを作っており、ＬＰＦよる遅延があり、補正による応答が遅れること、引き込み処理の状態でカラーバーストの長さが短い場合は引き込む時間が不足したり、振幅が小さい場合は補正値が少なくて時間内では補正できなく、正しい位相に十分引き込むことができないことが起きる。このため、カラーバーストの振幅（例えば信号Ｕの大きさ）を検出する。そして、振幅が小さい場合には、信号Ｖの値も小さくなるので、補正量を大きくするように係数ｋの値を大きくするように切り替え制御する構成とすれば、引き込みを早くでき、カラーバーストの後ろの端近くでなく中央の部分に近いところで早く正しい位相が検出できることになる。
【００３４】
以上、本発明による色信号復調回路の好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００３５】
【発明の効果】
以上の説明から理解される如く、本発明の色信号復調回路によると、次の如き実用上の顕著な効果が得られる。先ず、補正回路を設けることにより、ＶＴＲ等の映像信号でも、色信号を精度良く復調できる。また、精度良く分離復調した搬送色信号（Ｃ）は、符号化伝送したときも効率よく符号化伝送できる。ライン遅延の搬送色信号（Ｃ）と遅延しないカラーバースト信号を切り替えて、色信号復調することにより、回路構成を簡単化できる。位相の初期値を粗く求め、次に積分で順次補正していく構成で位相を求めることにより、直接変換テーブルで位相を求めるより、変換テーブルのサイズを小さくできる。
【図面の簡単な説明】
【図１】本発明による色信号復調装置の好適実施形態の構成を示すブロック図である。
【図２】搬送色信号とバースト信号の多重と補正を説明する図である。
【図３】図１中に示す色信号復調器の詳細構成を示すブロック図である。
【図４】図１中に示す適応Ｙ／Ｃ分離回路の詳細構成示すブロック図である。
【図５】図１中に示す位相検出器の詳細構成を示すブロック図である。
【図６】従来の位相同期装置の構成を示すブロック図である。
【図７】従来の位相同期クロック発生装置の構成を示すブロック図である。
【符号の説明】
１        Ａ／Ｄ変換器
２        ライン遅延回路
３        適応Ｙ／Ｃ分離回路
４        ＰＬＬ回路
５、４４、５４  ＳＷ回路
６        色信号復調器
７        同期分離回路
８        制御回路
９        位相角発生器
１０      位相検出器
１１      補正回路
３０、３２  乗算器
３１、３３  ＬＰＦ
３４      ｃｏｓ変換テーブル
３５      ｓｉｎ変換テーブル
４０、４２、４８  係数器
４１、４７  ラインメモリ
４３、５３        加算器
４９      適応制御回路
４５      ＢＰＦ（帯域通過フィルタ）
４６      減算器
５１      変換テーブル
５２      係数器
５５      レジスタ
【図１】
0004612201.tif 000002
【図２】
0004612201.tif 000003
【図３】
0004612201.tif 000004
【図４】
0004612201.tif 000005
【図５】
0004612201.tif 000006
【図６】
0004612201.tif 000007
【図７】
0004612201.tif 000008